(57)【要約】【課題】画素値が大きい画素と画素値が小さい画素とが交互に並ぶようなパターンを有する画像が表示される際に、表示される画像を改善する画像処理装置などを提供する。【解決手段】画像信号を補正する画像処理装置であって、前記画像信号の輝度信号に対してフィルタリングを行うフィルター部と、前記フィルター部により行われたフィルタリングの結果に基づいて、前記画像信号の輝度信号の補正量を算出する輝度信号補正量算出部と、前記輝度信号補正量算出部により算出された補正量を用いて、前記画像信号の輝度信号を補正する輝度信号補正部と、を備え、前記フィルター部は、前記画像信号の輝度信号について、同一の画素ブロックに対して異なる特性の平均化を行う少なくとも２個のフィルターを有しており、前記輝度信号補正量算出部は、前記少なくとも２個のフィルターによるフィルタリングの結果に基づいて、前記補正量を調整する、画像処理装置。【選択図】図２
2018151541.tif 000002
【特許請求の範囲】
【請求項１】
画像信号を補正する画像処理装置であって、
前記画像信号の輝度信号に対してフィルタリングを行うフィルター部と、
前記フィルター部により行われたフィルタリングの結果に基づいて、前記画像信号の輝度信号の補正量を算出する輝度信号補正量算出部と、
前記輝度信号補正量算出部により算出された補正量を用いて、前記画像信号の輝度信号を補正する輝度信号補正部と、を備え、
前記フィルター部は、前記画像信号の輝度信号について、同一の画素ブロックに対して異なる特性の平均化を行う少なくとも２個のフィルターを有しており、
前記輝度信号補正量算出部は、前記少なくとも２個のフィルターによるフィルタリングの結果に基づいて、前記補正量を調整する、
画像処理装置。
【請求項２】
前記輝度信号補正量算出部は、前記少なくとも２個のフィルターによるフィルタリングの結果と前記補正量を調整するための情報との対応を有しており、当該対応および前記少なくとも２個のフィルターによるフィルタリングの結果に基づいて、前記補正量を調整する、
請求項１に記載の画像処理装置。
【請求項３】
前記２個のフィルターのうちの一方のフィルターは、前記同一の画素ブロックに含まれる奇数行かつ奇数列の画素および偶数行かつ偶数列の画素の値を平均化する特性を有しており、他方のフィルターは、前記同一の画素ブロックに含まれる奇数行かつ偶数列の画素および偶数行かつ奇数列の画素の値を平均化する特性を有している、
請求項１または請求項２のいずれか１項に記載の画像処理装置。
【請求項４】
前記フィルター部は、複数の異なる大きさの画素ブロックに対応する複数のフィルターを有しており、
前記輝度信号補正量算出部は、前記複数のフィルターのうちで最小以外の大きさの画素ブロックに対応するフィルターによるフィルタリングの結果に基づいて、前記補正量を調整する、
請求項１から請求項３のいずれか１項に記載の画像処理装置。
【請求項５】
前記輝度信号補正量算出部は、前記複数のフィルターのうちで最も大きい画素ブロックに対応するフィルターによるフィルタリングの結果に基づいて、前記補正量を調整する、
請求項４に記載の画像処理装置。
【請求項６】
前記輝度信号補正量算出部は、前記２個のフィルターによるフィルタリングの結果の差の絶対値が所定の閾値を超える場合には、そうではない場合と比べて、前記補正量の影響度が小さくなるように調整する、
請求項１から請求項５のいずれか１項に記載の画像処理装置。
【請求項７】
画像信号に基づいて画像を表示する画像表示装置であって、
前記画像信号を補正する請求項１から請求項６のいずれか１項に記載の画像処理装置と、
前記画像処理装置によって補正された画像信号に基づいて画像を表示する画像表示部と、
を含む画像表示装置。
【請求項８】
画像信号を補正する画像処理方法であって、
フィルター部が、前記画像信号の輝度信号に対してフィルタリングを行い、
輝度信号補正量算出部が、前記フィルター部により行われたフィルタリングの結果に基づいて、前記画像信号の輝度信号の補正量を算出し、
輝度信号補正部が、前記輝度信号補正量算出部により算出された補正量を用いて、前記画像信号の輝度信号を補正し、
前記フィルター部は、前記画像信号の輝度信号について、同一の画素ブロックに対して異なる特性の平均化を行う少なくとも２個のフィルターを有しており、
前記輝度信号補正量算出部は、前記少なくとも２個のフィルターによるフィルタリングの結果に基づいて、前記補正量を調整する、
画像処理方法。
【請求項９】
画像信号に基づいて画像を表示する画像表示方法であって、
画像表示部が、請求項８に記載の画像処理方法によって補正された画像信号に基づいて画像を表示する、
画像表示方法。
【発明の詳細な説明】
【技術分野】
【０００１】
本発明は、画像処理装置、画像表示装置、画像処理方法および画像表示方法に関する。
【背景技術】
【０００２】
近年、画像の階調数あるいはダイナミックレンジが増加する傾向がある。このため、画像が表示される際に、表示された画像の暗部あるいは明部が表示機器のコントラスト不足によって十分に表現されない場合、あるいは、表示された画像の暗部あるいは明部のディテールが完全に再現されない場合がある。このような画像の暗部あるいは明部のディテールを表現するために、白黒伸張と呼ばれる画像適応型の階調補正処理が行われることがある。
【０００３】
さらに、特許文献１では、他の輝度領域に影響を与えることなく画像のディテールを改善する画像処理装置などが提案されている（特許文献１参照。）。特許文献１に記載された技術では、多段フィルター回路に備えられた複数のフィルター回路により平均化処理を行って、補正のためのゲインを求めることが行われる。
【先行技術文献】
【特許文献】
【０００４】
【特許文献１】特開２０１０−６３０６４号公報
【発明の概要】
【発明が解決しようとする課題】
【０００５】
従来の技術では、例えば、画素値が大きい画素と画素値が小さい画素とが１ドット（ｄｏｔ）ずつ交互に並ぶような特定のパターン（いわゆる市松状のパターン）を有する画像が表示される際に、補正の背反が見え易くなる場合があった。なお、背反としては、例えば、階調の変化あるいは色の変化などの画像ボケがあった。
【０００６】
本発明は、前記の点に鑑み為されたものであり、画素値が大きい画素と画素値が小さい画素とが交互に並ぶようなパターンを有する画像が表示される際に、表示される画像を改善することができる画像処理装置、画像表示装置、画像処理方法および画像表示方法を提供することを目的とする。
【課題を解決するための手段】
【０００７】
上記課題の少なくとも一つを解決するために本発明の一態様は、画像信号を補正する画像処理装置であって、前記画像信号の輝度信号に対してフィルタリングを行うフィルター部と、前記フィルター部により行われたフィルタリングの結果に基づいて、前記画像信号の輝度信号の補正量を算出する輝度信号補正量算出部と、前記輝度信号補正量算出部により算出された補正量を用いて、前記画像信号の輝度信号を補正する輝度信号補正部と、を備え、前記フィルター部は、前記画像信号の輝度信号について、同一の画素ブロックに対して異なる特性の平均化を行う少なくとも２個のフィルターを有しており、前記輝度信号補正量算出部は、前記少なくとも２個のフィルターによるフィルタリングの結果に基づいて、前記補正量を調整する、画像処理装置である。
この構成により、画像処理装置では、少なくとも２個のフィルターにより、画像信号の輝度信号について、同一の画素ブロックに対して異なる特性の平均化を行い、当該少なくとも２個のフィルターによるフィルタリングの結果に基づいて、補正量を調整する。これにより、画像処理装置では、例えば、画素値が大きい画素と画素値が小さい画素とが交互に並ぶようなパターンを有する画像が表示される際に、表示される画像を改善することができる。
【０００８】
また、本発明の一態様は、画像処理装置において、前記輝度信号補正量算出部は、前記少なくとも２個のフィルターによるフィルタリングの結果と前記補正量を調整するための情報との対応を有しており、当該対応および前記少なくとも２個のフィルターによるフィルタリングの結果に基づいて、前記補正量を調整する、構成が用いられてもよい。
この構成により、画像処理装置では、少なくとも２個のフィルターによるフィルタリングの結果と補正量を調整するための情報との対応、および当該少なくとも２個のフィルターによるフィルタリングの結果に基づいて、補正量を調整する。これにより、画像処理装置では、例えば、画素値が大きい画素と画素値が小さい画素とが交互に並ぶようなパターンを有する画像が表示される際に、あらかじめ設定された対応に基づいて、表示される画像を改善することができる。
【０００９】
また、本発明の一態様は、画像処理装置において、前記２個のフィルターのうちの一方のフィルターは、前記同一の画素ブロックに含まれる奇数行かつ奇数列の画素および偶数行かつ偶数列の画素の値を平均化する特性を有しており、他方のフィルターは、前記同一の画素ブロックに含まれる奇数行かつ偶数列の画素および偶数行かつ奇数列の画素の値を平均化する特性を有している、構成が用いられてもよい。
この構成により、画像処理装置では、一方のフィルターにより、同一の画素ブロックに含まれる奇数行かつ奇数列の画素および偶数行かつ偶数列の画素の値を平均化し、他方のフィルターにより、当該同一の画素ブロックに含まれる奇数行かつ偶数列の画素および偶数行かつ奇数列の画素の値を平均化する。これにより、画像処理装置では、例えば、行と列とのそれぞれについて１画素ごとに画素値が大きい画素と画素値が小さい画素とが交互に並ぶようなパターンを有する画像が表示される際に、表示される画像を改善することができる。
【００１０】
また、本発明の一態様は、画像処理装置において、前記フィルター部は、複数の異なる大きさの画素ブロックに対応する複数のフィルターを有しており、前記輝度信号補正量算出部は、前記複数のフィルターのうちで最小以外の大きさの画素ブロックに対応するフィルターによるフィルタリングの結果に基づいて、前記補正量を調整する、構成が用いられてもよい。
この構成により、画像処理装置では、複数の異なる大きさの画素ブロックに対応する複数のフィルターのうちで最小以外の大きさの画素ブロックに対応するフィルターによるフィルタリングの結果に基づいて、補正量を調整する。これにより、画像処理装置では、最小以外の大きさの画素ブロックに対応するフィルターによるフィルタリングの結果に基づいて、例えば、画素値が大きい画素と画素値が小さい画素とが交互に並ぶようなパターンを有する画像が表示される際に、表示される画像を改善することができる。
【００１１】
また、本発明の一態様は、画像処理装置において、前記輝度信号補正量算出部は、前記複数のフィルターのうちで最も大きい画素ブロックに対応するフィルターによるフィルタリングの結果に基づいて、前記補正量を調整する、構成が用いられてもよい。
この構成により、画像処理装置では、複数のフィルターのうちで最も大きい画素ブロックに対応するフィルターによるフィルタリングの結果に基づいて、補正量を調整する。これにより、画像処置装置では、最も大きい画素ブロックに対応するフィルターによるフィルタリングの結果に基づいて、例えば、画素値が大きい画素と画素値が小さい画素とが交互に並ぶようなパターンを有する画像が表示される際に、表示される画像を改善することができる。
【００１２】
また、本発明の一態様は、画像処理装置において、前記輝度信号補正量算出部は、前記２個のフィルターによるフィルタリングの結果の差の絶対値が所定の閾値を超える場合には、そうではない場合と比べて、前記補正量の影響度が小さくなるように調整する、構成が用いられてもよい。
この構成により、画像処理装置では、２個のフィルターによるフィルタリングの結果の差の絶対値が所定の閾値を超える場合には、そうではない場合と比べて、補正量の影響度が小さくなるように調整する。これにより、画像処理装置では、例えば、画素値が大きい画素と画素値が小さい画素とが交互に並ぶようなパターンを有する画像が表示される際に、表示される画像を改善することができる。
【００１３】
上記課題の少なくとも一つを解決するために本発明の一態様は、画像信号に基づいて画像を表示する画像表示装置であって、前記画像信号を補正する画像処理装置と、前記画像処理装置によって補正された画像信号に基づいて画像を表示する画像表示部と、を含む画像表示装置である。
この構成により、画像表示装置では、画像処理装置によって補正された画像信号に基づいて画像を表示する。これにより、画像表示装置では、例えば、画素値が大きい画素と画素値が小さい画素とが交互に並ぶようなパターンを有する画像が表示される際に、表示される画像を改善することができる。
【００１４】
上記課題の少なくとも一つを解決するために本発明の一態様は、画像信号を補正する画像処理方法であって、フィルター部が、前記画像信号の輝度信号に対してフィルタリングを行い、輝度信号補正量算出部が、前記フィルター部により行われたフィルタリングの結果に基づいて、前記画像信号の輝度信号の補正量を算出し、輝度信号補正部が、前記輝度信号補正量算出部により算出された補正量を用いて、前記画像信号の輝度信号を補正し、前記フィルター部は、前記画像信号の輝度信号について、同一の画素ブロックに対して異なる特性の平均化を行う少なくとも２個のフィルターを有しており、前記輝度信号補正量算出部は、前記少なくとも２個のフィルターによるフィルタリングの結果に基づいて、前記補正量を調整する、画像処理方法である。
この構成により、画像処理方法では、少なくとも２個のフィルターにより、画像信号の輝度信号について、同一の画素ブロックに対して異なる特性の平均化を行い、当該少なくとも２個のフィルターによるフィルタリングの結果に基づいて、補正量を調整する。これにより、画像処理方法では、例えば、画素値が大きい画素と画素値が小さい画素とが交互に並ぶようなパターンを有する画像が表示される際に、表示される画像を改善することができる。
【００１５】
上記課題の少なくとも一つを解決するために本発明の一態様は、画像信号に基づいて画像を表示する画像表示方法であって、画像表示部が、画像処理方法によって補正された画像信号に基づいて画像を表示する、画像表示方法である。
この構成により、画像表示方法では、画像処理方法によって補正された画像信号に基づいて画像を表示する。これにより、画像表示方法では、例えば、画素値が大きい画素と画素値が小さい画素とが交互に並ぶようなパターンを有する画像が表示される際に、表示される画像を改善することができる。
【００１６】
以上のように、本発明に係る画像処理装置、画像表示装置、画像処理方法および画像表示方法によれば、少なくとも２個のフィルターにより、画像信号の輝度信号について、同一の画素ブロックに対して異なる特性の平均化を行い、当該少なくとも２個のフィルターによるフィルタリングの結果に基づいて、補正量を調整する。これにより、本発明に係る画像処理装置、画像表示装置、画像処理方法および画像表示方法によれば、例えば、画素値が大きい画素と画素値が小さい画素とが交互に並ぶようなパターンを有する画像が表示される際に、表示される画像を改善することができる。
【図面の簡単な説明】
【００１７】
【図１】本発明の実施形態（第１実施形態）に係る画像表示システムの概略的な構成例を示す図である。
【図２】本発明の実施形態（第１実施形態）に係る画像処理部の概略的な構成例を示す図である。
【図３】本発明の実施形態（第１実施形態）に係る輝度信号補正量算出回路の概略的な構成例を示す図である。
【図４】本発明の実施形態（第１実施形態）に係る複数の画素を有する画素ブロックの一例を示す図である。
【図５】本発明の実施形態（第１実施形態）に係る画素値が大きい画素と画素値が小さい画素とが交互に並ぶパターンを有する画像における画素ブロックの一例を示す図である。
【図６】本発明の実施形態（第１実施形態）に係る輝度ゲインの相対的な大きさの一例を示す図である。
【図７】本発明の実施形態（第２実施形態）に係る輝度信号補正量算出回路の概略的な構成例を示す図である。
【発明を実施するための形態】
【００１８】
本発明の実施形態について図面を参照して詳細に説明する。
なお、本実施形態では、特許文献１の図４に記載された画像処理部を改良した構成を例として説明する。このため、本実施形態において、特許文献１と同様な構成部分については、特許文献１と同様な技術が適用されてもよい。
【００１９】
（第１実施形態）
［画像表示システムの構成および動作の概要］
図１は、本発明の実施形態（第１実施形態）に係る画像表示システム１の概略的な構成例を示す図である。
画像表示システム１は、プロジェクター１１（画像表示装置の一例）と、スクリーン１２（投写面の一例）を備える。
プロジェクター１１は、画像処理部３１（画像処理装置の一例）と、投写部３２を備える。
【００２０】
プロジェクター１１には、外部の装置から画像信号が入力される。当該外部の装置は、任意の装置であってもよく、例えば、コンピューター、あるいは、可搬な記憶媒体であってもよい。なお、図１とは別の構成例として、プロジェクター１１の内部で画像信号を発生してもよい。
画像処理部３１は、プロジェクター１１に入力された画像信号に対して所定の処理を行い、当該処理が行われた画像信号を投写部３２に出力する。当該所定の処理には、任意の処理が含まれてもよく、例えば、画像の特性を調整する処理、あるいは、入力された画像信号の画像に対して他の画像を重畳する処理が含まれてもよい。
投写部３２は、画像処理部３１から入力された画像信号の画像に対応する光を生成して、当該光をプロジェクター１１の外部のスクリーン１２に投写する。
なお、スクリーン１２は、任意のものであってもよく、例えば、プロジェクター１１からの投写光を写すために専用に用意されたものばかりでなく、部屋の壁などがスクリーン１２として用いられてもよい。
【００２１】
ここで、投写部３２は、表示対象の画像をスクリーン１２に投写する。これにより、投写された画像がスクリーン１２に表示される。表示対象の画像は、任意の画像であってもよく、例えば、複数の項目の中からユーザーにより項目を指示することが可能なメニューの画像を含んでもよい。
具体的には、投写部３２は、液晶パネルと、光源と、投写レンズを備える。投写部３２は、表示対象の画像の信号を、ＲＧＢ（Ｒｅｄ、Ｇｒｅｅｎ、Ｂｌｕｅ）のそれぞれごとに、液晶パネルの各画素の階調を表す画像情報に変換し、この画像情報に応じた駆動電圧を液晶パネルの各画素に印加（駆動）する。この印加によって、液晶パネルは、光源から当該液晶パネルへ入射された光を、前記した画像情報に応じた画像を映し出す光（変調された光）として形成する。投写部３２は、光源から放射された光を液晶パネル側に反射するリフレクターを含み、反射された光を前記した画像情報に応じた画像を映し出す光として液晶パネルに形成させてもよい。そして、投写部３２は、液晶パネルに形成された画像を映し出す光を、投写レンズを通して投写する。
光源は、例えば、超高圧水銀ランプあるいはメタルハライドランプなどからなる放電型の光源ランプであるが、光源ランプに限られず、ＬＥＤ（Ｌｉｇｈｔ  Ｅｍｉｔｔｉｎｇ  Ｄｉｏｄｅ）光源あるいはレーザー光源などが用いられてもよい。液晶パネルは、例えば、一対の透明基板の間に液晶が封入された、光の三原色であるＲＧＢそれぞれに対応した透過型の液晶パネルである。液晶パネルとしては、透過型の液晶パネルに限られず、反射型の液晶パネルが用いられてもよい。また、投写部３２のライトバルブとしては、液晶パネルを備える構成に代えて、ＤＭＤ（Ｄｉｇｉｔａｌ  Ｍｉｒｒｏｒ  Ｄｅｖｉｃｅ）などを備える構成が用いられてもよい。
【００２２】
図２は、本発明の実施形態（第１実施形態）に係る画像処理部３１の概略的な構成例を示す図である。
画像処理部３１は、ラインメモリー１１１と、ラインメモリー１１２と、多段フィルター回路１３１と、輝度信号補正量算出回路１３２と、輝度信号補正回路１３３と、色差ゲイン算出回路１３４と、色差信号補正回路１３５を備える。
多段フィルター回路１３１は、４個のフィルター回路１５１−１〜１５１−４を備える。
【００２３】
ここで、本実施形態では、画像処理部３１において行われる輝度信号の補正および色差信号の補正を例示して説明する。このため、本実施形態では、これらの補正を行う回路が画像処理部３１に備えられた構成を示すが、例えば、画像処理部３１はさらに他の処理を行う回路を備えてもよい。また、本実施形態では、色差信号の補正は必須ではないため、画像処理部３１は色差信号を補正する回路（例えば、色差ゲイン算出回路１３４、色差信号補正回路１３５）を備えなくてもよい。
【００２４】
プロジェクター１１の外部から画像処理部３１に入力される画像信号は、Ｙ信号と、Ｕ信号と、Ｖ信号を有する。ここで、Ｙ信号は輝度信号であり、Ｕ信号は青信号から輝度信号を差し引いたものに所定の係数を乗算した信号であり、Ｖ信号は赤信号から輝度信号を差し引いたものに所定の係数を乗算した信号である。
なお、画像信号としては、必ずしもＹＵＶの信号でなくてもよく、他の任意の信号であってもよい。
【００２５】
ラインメモリー１１１には、Ｙ信号が入力される。
ラインメモリー１１１は、メモリーの機能を有しており、入力されたＹ信号を記憶（格納）し、４個のフィルター回路１５１−１〜１５１−４のそれぞれに対応したＹ信号を、当該それぞれのフィルター回路１５１−１〜１５１−４に出力する。
また、ラインメモリー１１１は、入力されたＹ信号を輝度信号補正量算出回路１３２、輝度信号補正回路１３３および色差ゲイン算出回路１３４のそれぞれに出力する。
なお、多段フィルター回路１３１のそれぞれのフィルター回路１５１−１〜１５１−４、輝度信号補正量算出回路１３２、輝度信号補正回路１３３および色差ゲイン算出回路１３４のそれぞれが、ラインメモリー１１１に記憶されたＹ信号のうちから必要な情報（Ｙ信号）を抽出する構成が用いられてもよい。
【００２６】
本実施形態では、２個のフィルター回路１５１−１〜１５１−２のそれぞれは、（縦７画素×横７画素）のマトリクスの画素ブロックに対してフィルタリングを行う回路である。ラインメモリー１１１から当該それぞれのフィルター回路１５１−１〜１５１−２に当該画素ブロックに対応するＹ信号が出力される。また、本実施形態では、２個のフィルター回路１５１−１〜１５１−２は、それぞれ異なるフィルタリング特性を有するように設定されており、同じ入力に対して異なる出力となり得る。
また、フィルター回路１５１−３は、（縦５画素×横５画素）のマトリクスの画素ブロックに対してフィルタリングを行う回路である。ラインメモリー１１１から当該フィルター回路１５１−３に当該画素ブロックに対応するＹ信号が出力される。
また、フィルター回路１５１−４は、（縦３画素×横３画素）のマトリクスの画素ブロックに対してフィルタリングを行う回路である。ラインメモリー１１１から当該フィルター回路１５１−４に当該画素ブロックに対応するＹ信号が出力される。
【００２７】
ラインメモリー１１２には、Ｕ信号およびＶ信号が入力される。
ラインメモリー１１２は、メモリーの機能を有しており、入力されたＵ信号およびＶ信号を記憶（格納）し、当該Ｕ信号および当該Ｖ信号を色差信号補正回路１３５に出力する。
なお、色差信号補正回路１３５が、ラインメモリー１１２に記憶されたＵ信号およびＶ信号のうちから必要な情報（Ｕ信号およびＶ信号）を抽出する構成が用いられてもよい。
【００２８】
それぞれのフィルター回路１５１−１〜１５１−４は、ラインメモリー１１１から入力されたＹ信号に対してそれぞれの画素ブロックのフィルタリングを行い、このフィルタリング結果の信号を輝度信号補正量算出回路１３２に出力する。
輝度信号補正量算出回路１３２は、ラインメモリー１１１から入力されたＹ信号と、それぞれのフィルター回路１５１−１〜１５１−４から入力されたフィルタリング結果の信号に基づいて、Ｙ信号の補正量（輝度信号補正量）を算出し、算出された輝度信号補正量を表す信号（輝度信号補正量信号）を輝度信号補正回路１３３に出力する。
輝度信号補正回路１３３は、輝度信号補正量算出回路１３２から入力された輝度信号補正量を用いて、ラインメモリー１１１から入力されたＹ信号を補正し、補正されたＹ信号（本実施形態において、Ｙ１信号とも言う。）を色差ゲイン算出回路１３４および投写部３２のそれぞれに出力する。本実施形態では、輝度信号補正回路１３３は、ラインメモリー１１１から入力されたＹ信号に輝度信号補正量算出回路１３２から入力された輝度信号補正量を加算した結果の信号を、補正後のＹ信号（Ｙ１信号）とする。
【００２９】
色差ゲイン算出回路１３４は、ラインメモリー１１１から入力されたＹ信号と、輝度信号補正回路１３３から入力されたＹ１信号に基づいて、色差ゲインを算出し、算出された色差ゲインを表す信号を色差信号補正回路１３５に出力する。
色差信号補正回路１３５は、色差ゲイン算出回路１３４から入力された色差ゲイン信号を用いて、ラインメモリー１１２から入力されたＵ信号およびＶ信号に対して色差の補正を行い、補正されたＵ信号（本実施形態において、Ｕ１信号とも言う。）および補正されたＶ信号（本実施形態において、Ｖ１信号とも言う。）を投写部３２に出力する。
投写部３２は、画像信号としてＹ１信号、Ｕ１信号およびＶ１信号を入力し、これらの入力信号に応じた画像を投写する。
【００３０】
図３は、本発明の実施形態（第１実施形態）に係る輝度信号補正量算出回路１３２の概略的な構成例を示す図である。
輝度信号補正量算出回路１３２は、フィルター回路２１１と、重み付け算出回路２１２と、３個の乗算器２１３−１〜２１３−３と、１個の加算器２１４と、判定回路２３１と、輝度ゲイン算出回路２３２と、乗算器２３３を備える。
【００３１】
２個のフィルター回路１５１−１〜１５１−２のそれぞれから出力されたフィルタリング結果の信号が、フィルター回路２１１および判定回路２３１のそれぞれに入力される。
フィルター回路１５１−３から出力されたフィルタリング結果の信号が、乗算器２１３−２および重み付け算出回路２１２のそれぞれに入力される。
フィルター回路１５１−４から出力されたフィルタリング結果の信号が、乗算器２１３−３および重み付け算出回路２１２のそれぞれに入力される。
また、ラインメモリー１１１から出力されたＹ信号が、輝度ゲイン算出回路２３２に入力される。
【００３２】
フィルター回路２１１は、２個のフィルター回路１５１−１〜１５１−２のそれぞれから入力されたフィルタリング結果の信号に対してフィルタリングを行い、このフィルタリング結果の信号を乗算器２１３−１および重み付け算出回路２１２のそれぞれに出力する。
ここで、フィルター回路２１１は、例えば、２個のフィルター回路１５１−１〜１５１−２の代わりに、（縦７画素×横７画素）のマトリクスの画素ブロックの全体に対してフィルタリングを行う１個のフィルター回路が備えられた場合と同様なフィルタリング結果の信号を生成する特性を有するように設定される。
【００３３】
重み付け算出回路２１２は、１個のフィルター回路２１１および２個のフィルター回路１５１−３〜１５１−４から入力されたフィルタリング結果の信号に基づいて、フィルター回路２１１から出力される信号を補正するための重み付け係数、フィルター回路１５１−３から出力される信号を補正するための重み付け係数、およびフィルター回路１５１−４から出力される信号を補正するための重み付け係数を算出する。重み付け算出回路２１２は、フィルター回路２１１から出力される信号について算出された重み付け係数を表す信号（重み付け係数信号）を乗算器２１３−１に出力し、フィルター回路１５１−３から出力される信号について算出された重み付け係数を表す信号（重み付け係数信号）を乗算器２１３−２に出力し、フィルター回路１５１−４から出力される信号について算出された重み付け係数を表す信号（重み付け係数信号）を乗算器２１３−３に出力する。ここで、重み付け算出回路２１２では、例えば、入力される３個のフィルタリング結果の信号とそのときに出力すべき３個の重み付け係数信号との対応が、あらかじめＬＵＴ（ルックアップテーブル）などに設定されており、当該対応が参照される。
【００３４】
乗算器２１３−１は、フィルター回路２１１から入力されたフィルタリング結果の信号と、重み付け算出回路２１２から入力された重み付け係数信号とを乗算し、この乗算の結果の信号を加算器２１４に出力する。
乗算器２１３−２は、フィルター回路１５１−３から入力されたフィルタリング結果の信号と、重み付け算出回路２１２から入力された重み付け係数信号とを乗算し、この乗算の結果の信号を加算器２１４に出力する。
乗算器２１３−３は、フィルター回路１５１−４から入力されたフィルタリング結果の信号と、重み付け算出回路２１２から入力された重み付け係数信号とを乗算し、この乗算の結果の信号を加算器２１４に出力する。
加算器２１４は、３個の乗算器２１３−１〜２１３−３から入力された信号を加算し、この加算の結果の信号を乗算器２３３に出力する。
【００３５】
判定回路２３１は、２個のフィルター回路１５１−１〜１５１−２のそれぞれから入力されたフィルタリング結果の信号に基づいて、処理されている画像信号の画像が所定のパターンを有するか否かを判定し、この判定の結果を表す信号（判定結果信号）を輝度ゲイン算出回路２３２に出力する。
輝度ゲイン算出回路２３２には、ラインメモリー１１１からＹ信号が入力され、判定回路２３１から判定結果信号が入力される。輝度ゲイン算出回路２３２は、ラインメモリー１１１から入力されたＹ信号および判定回路２３１から入力された判定結果信号に基づいて、輝度ゲインを算出し、算出された輝度ゲインを表す信号（輝度ゲイン信号）を乗算器２３３に出力する。
乗算器２３３は、加算器２１４から入力された加算結果の信号と、輝度ゲイン算出回路２３２から入力された輝度ゲイン信号とを乗算し、この乗算の結果の信号を輝度信号補正量信号（ＶＡ信号）として輝度信号補正回路１３３に出力する。
【００３６】
［多段フィルター回路および輝度信号補正量算出回路の詳細］
＜多段フィルター回路の説明＞
図４は、本発明の実施形態（第１実施形態）に係る複数の画素１０１１、１０１２を有する画素ブロックの一例を示す図である。
図４の例では、（縦７画素×横７画素）の画素ブロックを示してある。本実施形態では、縦の方向を行で表し、横の方向を列で表す。
図４の例では、図を見易くするために、すべての画素ではなく、一部の画素１０１１、１０１２のみに符号を付してある。７行×７列の画素のうちで、奇数行かつ奇数列の画素および偶数行かつ偶数列の画素に相当する画素（本実施形態において、「第１の画素」とも言う。）を画素１０１１で表しており、奇数行かつ偶数列の画素および偶数行かつ奇数列の画素に相当する画素（本実施形態において、「第２の画素」とも言う。）を画素１０１２で表している。また、７行×７列の画素のうちで、４行４列の画素は中心の画素であり、画素１０２１（一つの画素１０１１）で表している。
【００３７】
本実施形態では、ラインメモリー１１１は、少なくとも、（縦７画素×横７画素）のＹ信号を記憶する。
２個のフィルター回路１５１−１〜１５１−２のそれぞれは、１個の画素１０２１を処理対象として、当該画素１０２１を中心とする（縦７画素×横７画素）の画素値（Ｙ信号）について、所定のフィルタリングを行う。当該所定のフィルタリングは、例えば、（縦７画素×横７画素であり、つまり、１〜７行目かつ１〜７列目）の画素の画素値と、所定のフィルター係数行列との畳み込み演算に相当する。
フィルター回路１５１−３は、１個の画素１０２１を処理対象として、当該画素１０２１を中心とする（縦５画素×横５画素）の画素値（Ｙ信号）について、所定のフィルタリングを行う。当該所定のフィルタリングは、例えば、（縦５画素×横５画素であり、つまり、２〜６行目かつ２〜６列目）の画素の画素値と、所定のフィルター係数行列との畳み込み演算に相当する。
フィルター回路１５１−４は、１個の画素１０２１を処理対象として、当該画素１０２１を中心とする（縦３画素×横３画素）の画素値（Ｙ信号）について、所定のフィルタリングを行う。当該所定のフィルタリングは、例えば、（縦３画素×横３画素であり、つまり、３〜５行目かつ３〜５列目）の画素の画素値と、所定のフィルター係数行列との畳み込み演算に相当する。
本実施形態では、これらのフィルタリング結果の信号と同期して、処理対象の画素１０２１（Ｙ信号、Ｕ信号、Ｖ信号）が処理される。
【００３８】
ここで、本実施形態では、２個のフィルター回路１５１−１〜１５１−２のうち、一方のフィルター回路１５１−１はフィルタリングとして第１の画素（画素１０１１）の画素値を平均化する処理を行い、他方のフィルター回路１５１−２はフィルタリングとして第２の画素（画素１０１２）の画素値を平均化する処理を行う。
【００３９】
図５は、本発明の実施形態（第１実施形態）に係る画素値が大きい画素と画素値が小さい画素とが交互に並ぶパターンを有する画像における画素ブロックの一例を示す図である。
図５には、図４の例と同様に、（縦７画素×横７画素）の画素ブロックを示してある。
図５の例では、第１の画素に相当する画素１１１１は画素値が大きい画素であり、第２の画素に相当する画素１１１２は画素値が小さい画素である。図５の例では、（縦７画素×横７画素）のうちの中心の画素１１２１（画素１１１１）は画素値が大きい画素である。つまり、処理対象となる画像信号は、画素値が大きい画素と画素値が小さい画素とが１画素ずつ交互に並ぶパターン（いわゆる市松パターン）を有する画像の信号である。なお、図５の例において、１画素分の時間が進行するごとに、画素値が大きい画素と画素値が小さい画素とが入れ替わり、例えば、１画素分の時間が進行したときには、第１の画素に相当する画素１１１１は画素値が小さい画素となり、第２の画素に相当する画素１１１２は画素値が大きい画素となる。
なお、図５の例では、説明の便宜上、画素値が大きい画素を白色の画素で表しており、画素値が小さい画素を黒色の画素で表しているが、画像信号の画像は、白黒またはグレースケールの画像に限られず、カラーの画像であってもよい。
【００４０】
図５の例に係る画像信号が処理される場合、２個のフィルター回路１５１−１〜１５１−２のそれぞれによるフィルタリング結果の信号は、一方のフィルタリング結果の信号が複数の大きい画素値を平均化した結果の信号となり、他方のフィルタリング結果の信号が複数の小さい画素値を平均化した結果の信号となる。なお、大きい画素値と小さい画素値とは、１画素分の時間の進行ごとに入れ替わる。
ここで、本実施形態では、輝度信号（Ｙ信号）が０〜２５５の値を有するとする。また、本実施形態では、輝度信号が２５５の値（または、２５５に近い値）を有するとき大きい画素値であるとしており、輝度信号が０の値（または、０に近い値）を有するとき小さい画素値であるとしている。図５の例では、説明を分かり易くするために、輝度信号が２５５の値または０の値である場合を示したが、実際には輝度信号は１〜２５４の値も取り得る。
【００４１】
＜輝度信号補正量算出回路＞
判定回路２３１は、２個のフィルター回路１５１−１〜１５１−２のそれぞれによるフィルタリング結果の信号の差の絶対値を検出し、検出された差の絶対値が所定の閾値を超えるか否かを判定する。
そして、判定回路２３１は、検出された差の絶対値が所定の閾値（本例では、正の値）を超えたと判定した場合には、処理されている画像信号の画像が所定のパターンを有すると判定し、この判定の結果を表す信号（判定結果信号）を輝度ゲイン算出回路２３２に出力する。
一方、判定回路２３１は、検出された差の絶対値が所定の閾値以下であると判定した場合には、処理されている画像信号の画像が所定のパターンを有しないと判定し、この判定の結果を表す信号（判定結果信号）を輝度ゲイン算出回路２３２に出力する。
このように、本実施形態では、判定回路２３１は、処理されている画像信号の画像が、画素値が大きい画素と画素値が小さい画素とが交互に並ぶパターンを有する画像であるか否かを判定する。つまり、本実施形態では、所定のパターンは、画素値が大きい画素と画素値が小さい画素とが交互に並ぶパターンである。
なお、通常、２個の値の差（ここでは、絶対値）が大きい場合には当該２個の値の相関が小さく、２個の値の差（ここでは、絶対値）が小さい場合には当該２個の値の相関が大きい。
【００４２】
ここで、本実施形態では、判定回路２３１は、検出された差の絶対値が所定の閾値を超えるか否かを判定するが、同様な判定結果が得られれば、判定の方法は任意であってもよい。例えば、判定回路２３１は、検出された差が正のときと負のとき（差が０のときはいずれかに含めてもよく、あるいは、別にしてもよい。）に分けて、それぞれについて異なる閾値を用いて判定してもよい。
また、本実施形態では、判定回路２３１は、検出された差の絶対値が所定の閾値を超えるか否かを判定するが、他の構成例として、検出された差の絶対値が所定の閾値以上であるか否かを判定してもよい。つまり、検出された差の絶対値が所定の閾値に一致する場合は、当該閾値を超える場合に含められてもよく、あるいは、当該閾値未満である場合に含められてもよい。
また、閾値としては、任意の値が用いられてもよい。
【００４３】
また、本実施形態では、判定回路２３１は、２種類の判定結果の両方について、判定結果信号を輝度ゲイン算出回路２３２に出力するが、他の構成例として、輝度ゲイン算出回路２３２が判定結果を把握することができれば、判定回路２３１は、２種類の判定結果のうちの一方について、判定結果信号を輝度ゲイン算出回路２３２に出力してもよい。例えば、輝度ゲイン算出回路２３２は、判定回路２３１から判定結果信号を受信しないときには一方の判定結果であると判定し、判定回路２３１から判定結果信号を受信したときには他方の判定結果であると判定してもよい。
【００４４】
輝度ゲイン算出回路２３２は、判定回路２３１から入力される判定結果信号に基づいて、処理されている画像信号の画像が所定のパターンを有する画像ではないと判定した場合には、ラインメモリー１１１から入力された輝度信号（Ｙ信号）に基づいて、当該輝度信号に対応する値（輝度ゲイン）を有する輝度ゲイン信号を乗算器２３３に出力する。ここで、輝度ゲイン算出回路２３２では、例えば、入力される輝度信号とそのときに出力すべき輝度ゲイン信号との対応が、あらかじめＬＵＴなどに設定されており、当該対応が参照される。
【００４５】
一方、輝度ゲイン算出回路２３２は、判定回路２３１から入力される判定結果信号に基づいて、処理されている画像信号の画像が所定のパターンを有する画像であると判定した場合には、そうではないと判定された場合と比べて、より小さい値（ここでは、絶対値）の輝度ゲインを有する輝度ゲイン信号を乗算器２３３に出力する。これにより、ラインメモリー１１１から出力される輝度信号（Ｙ信号）が同じであるときには、処理されている画像信号の画像が所定のパターンを有する画像である場合には、そうではない場合と比べて、乗算器２３３から出力される輝度信号補正量信号の絶対値が小さくなり、当該輝度信号補正量信号の影響度が小さくなる。
【００４６】
一例として、輝度ゲイン算出回路２３２は、判定回路２３１から入力される判定結果信号に基づいて、処理されている画像信号の画像が所定のパターンを有する画像であると判定した場合には、０の輝度ゲインを有する輝度ゲイン信号を乗算器２３３に出力してもよい。つまり、処理されている画像信号の画像が所定のパターンを有する画像である場合には、輝度信号補正量信号（ＶＡ信号）の値を０にしてもよい。
【００４７】
図６は、本発明の実施形態（第１実施形態）に係る輝度ゲインの相対的な大きさの一例を示す図である。
図６に示されるグラフにおいて、横軸は第１の画素（図４の例における画素１０１１）の画素値の平均化結果を表わしており、縦軸は第２の画素（図４の例における画素１０１２）の画素値の平均化結果を表わしている。
また、図６には、２つの特性２０１１、２０１２を示してある。特性２０１１は、縦軸の値が０より大きい位置で当該縦軸と接し、正の傾きを有する直線で表されている。特性２０１２は、横軸の値が０より大きい位置で当該横軸と接し、正の傾きを有する直線で表されている。２つの特性２０１１、２０１２のそれぞれの傾きは、任意の値であってもよく、例えば、１であってもよい。また、２つの特性２０１１、２０１２のそれぞれの傾きは、同じであってもよく、あるいは、異なってもよい。また、２つの特性２０１１、２０１２のそれぞれが軸（縦軸あるいは横軸）と接する位置（それぞれの軸上での値）は、任意であってもよく、また、同じであってもよく、あるいは、異なってもよい。
【００４８】
図６の例では、相対的に、２つの特性２０１１、２０１２に挟まれる領域では輝度ゲインが大きい値（ここでは、絶対値）に設定され、他の領域では輝度ゲインが小さい値（ここでは、絶対値）に設定される。つまり、横軸の値と縦軸の値が同じまたは近い場合には、これらの差（絶対値）が小さく、処理されている画像信号の画像が所定のパターンを有する画像ではないと判定されて、大きい値（ここでは、絶対値）を有する輝度ゲインが設定される。一方、横軸の値と縦軸の値が近くない場合には、これらの差（絶対値）が大きく、処理されている画像信号の画像が所定のパターンを有する画像であると判定されて、小さい値（ここでは、絶対値）を有する輝度ゲインが設定される。
【００４９】
ここで、図６に示されるグラフの情報が、ＬＵＴなどの情報として、判定回路２３１に設定されていてもよい。この場合、判定回路２３１は、輝度ゲイン算出回路２３２に対する判定結果信号として、当該グラフの情報および入力された２個のフィルタリング結果の信号に基づいて決定した輝度ゲインの設定の仕方（輝度ゲインの値でもよい。）を含む信号を出力する。そして、輝度ゲイン算出回路２３２は、入力された判定結果信号（輝度ゲインの設定の仕方）に基づいて、輝度ゲインを設定する。
【００５０】
図６の例では、２つの特性２０１１、２０１２に挟まれる領域と他の領域といった２種類の領域のそれぞれについて異なる輝度ゲインを設定するが、他の構成例として、３種類以上の領域のそれぞれについて異なる輝度ゲインが設定されてもよい。
また、他の構成例として、２個のフィルタリング結果の信号の差に基づいて、連続的に変化する値が輝度ゲインとして設定されてもよい。
【００５１】
［第１実施形態のまとめ］
以上のように、本実施形態に係るプロジェクター１１における画像処理部３１（画像処理装置）では、画素値が大きい画素と画素値が小さい画素とが交互に並ぶパターン（いわゆる市松状のパターン）を所定のパターンとして、処理対象の画像が当該所定のパターンを有する場合には、ディテールエンハンサにおける補正ゲイン（図６の例では、輝度ゲイン）を抑制する（小さくする）ことで、補正による表示の背反（画像ボケ）を抑制する。これにより、画像処理部３１（画像処理装置）では、画素値が大きい画素と画素値が小さい画素とが交互に並ぶようなパターンを有する画像が表示される際に、表示される画像を改善することができる。
【００５２】
ここで、本実施形態では、図３の例において、フィルター回路２１１によるフィルタリング結果の信号が重み付け算出回路２１２に入力されるが、他の構成例として、フィルター回路２１１によるフィルタリング結果の信号の代わりに、２個のフィルター回路１５１−１、１５１−２のそれぞれによるフィルタリング結果の信号のうちの一方または両方が重み付け算出回路２１２に入力されて使用される構成が用いられてもよい。あるいは、他の構成例として、フィルター回路２１１によるフィルタリング結果の信号とともに、２個のフィルター回路１５１−１、１５１−２のそれぞれによるフィルタリング結果の信号のうちの一方または両方が重み付け算出回路２１２に入力されて使用される構成が用いられてもよい。
【００５３】
本実施形態では、輝度信号補正量算出回路１３２において、判定回路２３１と輝度ゲイン算出回路２３２を別体として備えるが、他の構成例として、これらが一体として備えられてもよい。
【００５４】
また、本実施形態では、（縦７画素×横７画素）と（縦５画素×横５画素）と（縦３画素×横３画素）といった３種類の大きさの画素ブロックを用いてフィルタリングを行うが、他の構成例として、１種類以上の任意の大きさの画素ブロックを用いてフィルタリングが行われてもよい。
また、本実施形態では、複数種類（本実施形態では、３種類）の大きさの画素ブロックのうちで最も大きい画素ブロックを用いて、画像信号の画像が所定のパターンを有する画像であるか否かを判定するが、他の構成例として、２番目以降に大きい画素ブロックを用いて、画像信号の画像が所定のパターンを有する画像であるか否かを判定してもよい。
【００５５】
また、本実施形態では、（縦７画素×横７画素）の大きさの画素ブロックについて、２個のフィルター回路１５１−１〜１５１−２を備えて、画像信号の画像が所定のパターンを有する画像であるか否かを判定するが、他の構成例として、この判定に用いられる画素ブロックの大きさは他の大きさであってもよい。一例として、この判定に用いられる画素ブロックの大きさは（縦５画素×横５画素）の大きさであってもよい。なお、この判定に用いられる画素ブロックの大きさは、ある程度大きい方が好ましく、例えば、全体の画像の画素数に対して縦横それぞれ１パーセント（％）以上の画素数を有する画素ブロックの大きさが用いられてもよく、一例として、全体の画像の画素数が（縦１０００画素×横１０００画素）であるときに、当該画素ブロックの画素数が（縦１０画素×横１０画素）以上の画素数であってもよい。
また、本実施形態では、２個のフィルター回路１５１−１〜１５１−２によるフィルタリング結果を用いて、画像信号の画像が所定のパターンを有する画像であるか否かを判定するが、他の構成例として、３個以上のフィルター回路によるフィルタリング結果を用いて、画像信号の画像が所定のパターンを有する画像であるか否かを判定してもよい。一例として、３個以上のフィルター回路によるフィルタリング結果のうちから判定に使用するフィルタリング結果を選択する構成、あるいは、３個以上のフィルター回路によるフィルタリング結果のうちの２以上を平均化した結果を用いる構成などが用いられてもよい。
【００５６】
また、処理対象となる画像信号の画像（全体の画像）は、例えば、縦の画素数と横の画素数とが同じである画像が用いられてもよく、あるいは、縦の画素数と横の画素数とが異なる画像が用いられてもよい。
また、フィルタリングが行われる画素ブロックとしては、例えば、縦の画素数と横の画素数とが同じである画素ブロックが用いられてもよく、あるいは、縦の画素数と横の画素数とが異なる画素ブロックが用いられてもよい。
【００５７】
（第２実施形態）
本実施形態では、第１実施形態に係るプロジェクター１１とは異なる構成を有するプロジェクターを示す。
本実施形態に係るプロジェクターは、第１実施形態に係るプロジェクター１１と比べて、図３に示される輝度信号補正量算出回路１３２の代わりに、図７に示される輝度信号補正量算出回路３１１を備える。
本実施形態では、プロジェクターに関し、説明の便宜上、図７に示される輝度信号補正量算出回路３１１の構成部以外の構成部については、第１実施形態と同じ符号を用いて示す。
【００５８】
図７は、本発明の実施形態（第２実施形態）に係る輝度信号補正量算出回路３１１の概略的な構成例を示す図である。
本実施形態に係る輝度信号補正量算出回路３１１では、図３に示される輝度信号補正量算出回路１３２と比べて、判定回路３５１から出力される判定結果信号が（輝度ゲイン算出回路ではなく）重み付け算出回路３３２により用いられる点を除いて、同様である。本実施形態では、輝度信号補正量算出回路３１１について、主に第１実施形態に係る輝度信号補正量算出回路１３２とは異なる点を説明し、第１実施形態に係る輝度信号補正量算出回路１３２と同様な点についての説明を省略する。
【００５９】
輝度信号補正量算出回路３１１は、フィルター回路３３１と、重み付け算出回路３３２と、３個の乗算器３３３−１〜３３３−３と、１個の加算器３３４と、判定回路３５１と、輝度ゲイン算出回路３７１と、乗算器３７２を備える。
２個のフィルター回路１５１−１〜１５１−２のそれぞれから出力されたフィルタリング結果の信号が、フィルター回路３３１および判定回路３５１のそれぞれに入力される。
フィルター回路１５１−３から出力されたフィルタリング結果の信号が、乗算器３３３−２および重み付け算出回路３３２のそれぞれに入力される。
フィルター回路１５１−４から出力されたフィルタリング結果の信号が、乗算器３３３−３および重み付け算出回路３３２のそれぞれに入力される。
また、ラインメモリー１１１から出力されたＹ信号が、輝度ゲイン算出回路３７１に入力される。
【００６０】
フィルター回路３３１は、２個のフィルター回路１５１−１〜１５１−２のそれぞれから入力されたフィルタリング結果の信号に対してフィルタリングを行い、このフィルタリング結果の信号を乗算器３３３−１および重み付け算出回路３３２のそれぞれに出力する。
ここで、フィルター回路３３１は、例えば、２個のフィルター回路１５１−１〜１５１−２の代わりに、（縦７画素×横７画素）のマトリクスの画素ブロックの全体に対してフィルタリングを行う１個のフィルター回路が備えられた場合と同様なフィルタリング結果の信号を生成する特性を有するように設定される。
【００６１】
判定回路３５１は、２個のフィルター回路１５１−１〜１５１−２のそれぞれから入力されたフィルタリング結果の信号に基づいて、処理されている画像信号の画像が所定のパターンを有するか否かを判定し、この判定の結果を表す信号（判定結果信号）を重み付け算出回路３３２に出力する。
【００６２】
重み付け算出回路３３２は、１個のフィルター回路３３１および２個のフィルター回路１５１−３〜１５１−４から出力されたフィルタリング結果の信号と、判定回路３５１から入力された判定結果信号に基づいて、フィルター回路３３１から出力される信号を補正するための重み付け係数、フィルター回路１５１−３から出力される信号を補正するための重み付け係数、およびフィルター回路１５１−４から出力される信号を補正するための重み付け係数を算出する。重み付け算出回路３３２は、フィルター回路３３１から出力される信号について算出された重み付け係数を表す信号（重み付け係数信号）を乗算器３３３−１に出力し、フィルター回路１５１−３から出力される信号について算出された重み付け係数を表す信号（重み付け係数信号）を乗算器３３３−２に出力し、フィルター回路１５１−４から出力される信号について算出された重み付け係数を表す信号（重み付け係数信号）を乗算器３３３−３に出力する。
【００６３】
ここで、重み付け算出回路３３２は、判定回路３５１から入力される判定結果信号に基づいて、処理されている画像信号の画像が所定のパターンを有する画像ではないと判定した場合には、入力された３個のフィルタリング結果の信号に基づいて、これらの信号に対応する３個の重み付け係数信号をそれぞれの乗算器３３３−１〜３３３−３に出力する。ここで、重み付け算出回路３３２では、例えば、入力される３個のフィルタリング結果の信号とそのときに出力すべき３個の重み付け係数信号との対応が、あらかじめＬＵＴなどに設定されており、当該対応が参照される。
一方、重み付け算出回路３３２は、判定回路３５１から入力される判定結果信号に基づいて、処理されている画像信号の画像が所定のパターンを有する画像であると判定した場合には、そうではないと判定された場合と比べて、加算器３３４から出力される信号の値（ここでは、絶対値）が小さくなるような重み付け係数信号をそれぞれの乗算器３３３−１〜３３３−３に出力する。これにより、重み付け算出回路３３２に入力される３個のフィルタリング結果の信号が同じであるときには、処理されている画像信号の画像が所定のパターンを有する画像である場合には、そうではない場合と比べて、加算器３３４から出力される信号の値（ここでは、絶対値）が小さくなる。これにより、乗算器３７２から出力される輝度信号補正量信号の絶対値が小さくなり、当該輝度信号補正量信号の影響度が小さくなる。
【００６４】
なお、重み付け算出回路３３２から出力される３個の重み付け係数信号について、加算器３３４から出力される信号の値（ここでは、絶対値）が小さくなるような重み付け係数信号としては、例えば、それぞれがより小さい値（ここでは、絶対値）を有する３個の重み付け係数信号が用いられてもよく、あるいは、他の態様が用いられてもよい。
【００６５】
乗算器３３３−１は、フィルター回路３３１から入力されたフィルタリング結果の信号と、重み付け算出回路３３２から入力された重み付け係数信号とを乗算し、この乗算の結果の信号を加算器３３４に出力する。
乗算器３３３−２は、フィルター回路１５１−３から入力されたフィルタリング結果の信号と、重み付け算出回路３３２から入力された重み付け係数信号とを乗算し、この乗算の結果の信号を加算器３３４に出力する。
乗算器３３３−３は、フィルター回路１５１−４から入力されたフィルタリング結果の信号と、重み付け算出回路３３２から入力された重み付け係数信号とを乗算し、この乗算の結果の信号を加算器３３４に出力する。
加算器３３４は、３個の乗算器３３３−１〜３３３−３から入力された信号を加算し、この加算の結果の信号を乗算器３７２に出力する。
【００６６】
輝度ゲイン算出回路３７１には、ラインメモリー１１１からＹ信号が入力される。輝度ゲイン算出回路３７１は、ラインメモリー１１１から入力されたＹ信号に基づいて、輝度ゲインを算出し、算出された輝度ゲインを表す信号（輝度ゲイン信号）を乗算器３７２に出力する。ここで、輝度ゲイン算出回路３７１では、例えば、入力される輝度信号とそのときに出力すべき輝度ゲイン信号との対応が、あらかじめＬＵＴなどに設定されており、当該対応が参照される。
乗算器３７２は、加算器３３４から入力された加算結果の信号と、輝度ゲイン算出回路３７１から入力された輝度ゲイン信号とを乗算し、この乗算の結果の信号を輝度信号補正量信号（ＶＡ信号）として輝度信号補正回路１３３に出力する。
【００６７】
ここで、第１実施形態における図６の例では、２個のフィルタリング結果の信号に基づいて輝度ゲインを決定するためのグラフ（特性２０１１、２０１２）を示したが、本実施形態では、輝度ゲインの代わりに、重み付け係数が用いられる。本実施形態では、３個の重み付け係数が、同じ特性を用いて設定（決定）されてもよく、異なる特性を用いて設定（決定）されてもよい。
【００６８】
［第２実施形態のまとめ］
以上のように、本実施形態に係るプロジェクター１１における画像処理部３１（画像処理装置）では、第１実施形態と同様な効果を得ることができる。
【００６９】
ここで、本実施形態では、図７の例において、フィルター回路３３１によるフィルタリング結果の信号が重み付け算出回路３３２に入力されるが、他の構成例として、フィルター回路３３１によるフィルタリング結果の信号の代わりに、２個のフィルター回路１５１−１、１５１−２のそれぞれによるフィルタリング結果の信号のうちの一方または両方が重み付け算出回路３３２に入力されて使用される構成が用いられてもよい。あるいは、他の構成例として、フィルター回路３３１によるフィルタリング結果の信号とともに、２個のフィルター回路１５１−１、１５１−２のそれぞれによるフィルタリング結果の信号のうちの一方または両方が重み付け算出回路３３２に入力されて使用される構成が用いられてもよい。
【００７０】
本実施形態では、輝度信号補正量算出回路３１１において、判定回路３５１と重み付け算出回路３３２を別体として備えるが、他の構成例として、これらが一体として備えられてもよい。
【００７１】
［以上の実施形態のまとめ］
一構成例として、画像信号を補正する画像処理装置（図１の例では、画像処理部３１の機能を有する装置）であって、画像信号の輝度信号に対してフィルタリングを行うフィルター部（図２の例では、多段フィルター回路１３１）と、フィルター部により行われたフィルタリングの結果に基づいて、画像信号の輝度信号の補正量を算出する輝度信号補正量算出部（図２の例では、輝度信号補正量算出回路１３２）と、輝度信号補正量算出部により算出された補正量を用いて、画像信号の輝度信号を補正する輝度信号補正部（図２の例では、輝度信号補正回路１３３）と、を備える。フィルター部は、画像信号の輝度信号について、同一の画素ブロックに対して異なる特性の平均化を行う少なくとも２個のフィルター（図２の例では、２個のフィルター回路１５１−１〜１５１−２）を有しており、輝度信号補正量算出部は、当該少なくとも２個のフィルターによるフィルタリングの結果に基づいて、補正量を調整する。
一構成例として、画像処理装置において、輝度信号補正量算出部は、前記した少なくとも２個のフィルターによるフィルタリングの結果と補正量を調整するための情報との対応を有しており、当該対応および当該少なくとも２個のフィルターによるフィルタリングの結果に基づいて、補正量を調整する。
一構成例として、画像処理装置において、前記した２個のフィルターのうちの一方のフィルターは、同一の画素ブロックに含まれる奇数行かつ奇数列の画素および偶数行かつ偶数列の画素の値を平均化する特性を有しており、他方のフィルターは、当該同一の画素ブロックに含まれる奇数行かつ偶数列の画素および偶数行かつ奇数列の画素の値を平均化する特性を有している（例えば、図５の例）。
一構成例として、画像処理装置において、フィルター部は、複数の異なる大きさの画素ブロック（図２の例では、（縦７画素×横７画素）、（縦５画素×横５画素）、（縦３画素×横３画素）の画素ブロック）に対応する複数のフィルターを有しており、輝度信号補正量算出部は、複数のフィルターのうちで最小以外の大きさの画素ブロックに対応するフィルターによるフィルタリングの結果に基づいて、補正量を調整する。
一構成例として、画像処理装置において、輝度信号補正量算出部は、複数のフィルターのうちで最も大きい画素ブロック（図２の例では、（縦７画素×横７画素の画素ブロック）に対応するフィルターによるフィルタリングの結果に基づいて、補正量を調整する。
一構成例として、画像処理装置において、輝度信号補正量算出部は、２個のフィルターによるフィルタリングの結果の差の絶対値が所定の閾値を超える場合には、そうではない場合と比べて、補正量の影響度が小さくなるように調整する。
一構成例として、画像信号に基づいて画像を表示する画像表示装置（図１の例では、プロジェクター１１の機能を有する装置）であって、画像信号を補正する以上のような画像処理装置と、画像処理装置によって補正された画像信号に基づいて画像を表示する画像表示部（図１の例では、投写部３２）と、を含む画像表示装置である。
【００７２】
なお、上記の画像処理装置により行われる処理と同様な処理を実行する方法（画像処理方法）が実施されてもよい。
また、上記の画像表示装置により行われる処理と同様な処理を実行する方法（画像表示方法）が実施されてもよい。
【００７３】
なお、以上に説明した装置（例えば、画像処理部３１に相当する装置など）における任意の構成部の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｃ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【００７４】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【００７５】
以上、この発明の実施形態について図面を参照して詳述してきたが、具体的な構成はこの実施形態に限られるものではなく、この発明の要旨を逸脱しない範囲の設計等も含まれる。
例えば、本実施形態に係る画像処理部３１（画像処理装置）は、プロジェクター以外の装置に適用されてもよく、液晶テレビジョンあるいはプラズマテレビジョンなどにおける画像処理に適用されてもよい。
【符号の説明】
【００７６】
１…画像表示システム、１１…プロジェクター、１２…スクリーン、３１…画像処理部、３２…投写部、１１１〜１１２…ラインメモリー、１３１…多段フィルター回路、１３２、３１１…輝度信号補正量算出回路、１３３…輝度信号補正回路、１３４…色差ゲイン算出回路、１３５…色差信号補正回路、１５１−１〜１５１−４、２１１、３３１…フィルター回路、２１２、３３２…重み付け算出回路、２１３-１〜２１３−３、２３３、３３３−１〜３３３−３、３７２…乗算器、２１４、３３４…加算器、２３１、３５１…判定回路、２３２、３７１…輝度ゲイン算出回路、１０１１〜１０１２、１０２１、１１１１〜１１１２、１１２１…画素、２０１１〜２０１２…特性
【図１】
2018151541.tif 000003
【図２】
2018151541.tif 000004
【図３】
2018151541.tif 000005
【図４】
2018151541.tif 000006
【図５】
2018151541.tif 000007
【図６】
2018151541.tif 000008
【図７】
2018151541.tif 000009